【手続補正書】
【提出日】平成16年11月2日(2004.11.2)
【手続補正１】
【補正対象書類名】明細書
【補正対象項目名】発明の名称
【補正方法】変更
【補正の内容】
【発明の名称】交換通信ネットワーク内で無差別的にモニタリングを行うためのシステム、および方法
【手続補正２】
【補正対象書類名】明細書
【補正対象項目名】特許請求の範囲
【補正方法】変更
【補正の内容】
【特許請求の範囲】
【請求項１】
スイッチの内部におけるマルチキャスティングを用いて、交換通信ネットワークにおいて、無差別的にモニタリングを行う方法であって、
前記スイッチに備えられた１つまたは複数の入力ポートのうちの一つである第１の入力ポートにおいて、データパケットを受信して、
前記スイッチの内部において、前記第１の入力ポートと、１つまたは複数の出力ポートのうちの少なくとも一つの出力ポートと、一つまたは複数のモニタリングポートのうちの少なくとも一つのモニタリングポートと、の間に位置する一つまたは複数の経路を経由して、前記受信データパケットをマルチキャストする、
こと含む方法。
【請求項２】
請求項１に記載の方法であって、前記経路が、切り換え設定されることを特徴とする方法。
【請求項３】
請求項１に記載の方法であって、前記経路が、固定的に設定されることを特徴とする方法。
【請求項４】
スイッチの内部におけるマルチキャスティングを用いて、交換通信ネットワークにおいて、無差別的にモニタリングを行う方法であって、
前記スイッチにおける第１の入力ポートにおいて、データパケットを受信して、
前記スイッチの内部において、前記第１の入力ポートと、１つまたは複数の出力ポートのうちの少なくとも一つの出力ポートと、一つまたは複数のモニタリングポートのうちの少なくとも一つのモニタリングポートと、の間に位置する一つまたは複数の経路を経由して、前記受信データパケットをマルチキャストして、
前記少なくとも一つのモニタリングポートを用いて、前記少なくとも一つの出力ポートを無差別的にモニタする、
ことを含む方法。
【請求項５】
請求項４に記載の方法であって、前記経路が、切り換え設定されることを特徴とする方法。
【請求項６】
請求項４に記載の方法であって、前記経路が、固定的に設定されることを特徴とする方法。
【請求項７】
スイッチの内部におけるマルチキャスティングを用いて、交換通信ネットワークにおいて、無差別的にモニタリングを行う方法であって、
前記スイッチにおける第１の入力ポートにおいて、データパケットを受信して、
前記スイッチの内部において、モニタリングプロセッサが無差別的モニタリングのために選択されたポートとして識別する前記第１の入力ポートと、１つまたは複数の出力ポートのうちの少なくとも一つの出力ポートと、一つまたは複数のモニタリングポートのうちの少なくとも一つのモニタリングポートと、の間に位置する一つまたは複数の経路を経由して、宛先出力ポートとして前記少なくとも一つの出力ポートを識別している前記受信データパケットをマルチキャストして、
前記少なくとも一つのモニタリングポートを用いて、前記第１の入力ポートを無差別的にモニタする、
ことを含む方法。
【請求項８】
請求項７に記載の方法であって、前記経路が、切り換え設定されることを特徴とする方法。
【請求項９】
請求項７に記載の方法であって、前記経路が、固定的に設定されることを特徴とする方法。
【請求項１０】
スイッチの内部におけるマルチキャスティングを用いて、交換通信ネットワークにおいて、無差別的にモニタリングを行う方法であって、
前記スイッチにおける第１の入力ポートにおいて、データパケットを受信して、
前記スイッチの内部において、前記第１の入力ポートと、モニタリングプロセッサが無差別的モニタリングのために選択されたポートとして識別する１つまたは複数の出力ポートのうちの少なくとも一つの出力ポートと、一つまたは複数のモニタリングポートのうちの少なくとも一つのモニタリングポートと、の間に位置する一つまたは複数の経路を経由して、宛先出力ポートとして前記少なくとも一つの出力ポートを識別している前記受信データパケットをマルチキャストして、
前記少なくとも一つのモニタリングポートを用いて、前記少なくとも一つの出力ポートを無差別的にモニタする、
ことを含む方法。
【請求項１１】
請求項１０に記載の方法であって、前記経路が、切り換え設定されることを特徴とする方法。
【請求項１２】
請求項１０に記載の方法であって、前記経路が、固定的に設定されることを特徴とする方法。
【請求項１３】
モニタリングプロセッサと、
１つまたは複数の入力ポートと、１つまたは複数の出力ポートと、１つまたは複数のモニタリングポートと、相互接続ネットワークと、を含むスイッチと、
を備える、交換通信ネットワークにおける無差別的モニタリングシステムであって、
前記モニタリングプロセッサは、前記モニタリングポートを介して前記スイッチに接続されており、
前記相互接続ネットワークは、１つまたは複数の入力ポートにおいて受信されたデータパケットを、少なくとも１つの出力ポートおよび少なくとも１つのモニタリングポートにマルチキャストしており、
前記出力ポートは、宛先ポートとして、前記受信データパケットによって指定されており、
前記モニタリングポートは、無差別的モニタリングのために前記受信データパケットのマルチキャストコピーが送信されることになるポートとして、前記モニタリングプロセッサによって指定されているシステム。
【請求項１４】
請求項１３に記載のシステムにおいて、
前記入力ポートと、前記出力ポートと、前記モニタリングポートと、の間に位置する一つまたは複数の経路は、前記相互接続ネットワークを介して切り換え設定されることを特徴とするシステム。
【請求項１５】
請求項１３に記載のシステムにおいて、
前記入力ポートと、前記出力ポートと、前記モニタリングポートと、の間に位置する一つまたは複数の経路は、前記相互接続ネットワークを介して固定的に設定されることを特徴とするシステム。
【請求項１６】
通信ネットワークにおいて、複数のデータパケットを無差別的にモニタする方法であって、
前記複数のデータパケットのうちの各々が、前記複数のデータパケットのうちの前記各々を伝送することになる経路によって識別されている方法において、
１つの経路を選択して、
前記選択された経路によって識別されているデータパケットを、その宛先データ出力ポートにマルチキャストして、
前記選択された経路によって識別されている前記データパケットのコピーを、モニタリングポートにマルチキャストすることを含む方法。
【請求項１７】
請求項１６に記載の方法であって、前記経路が、前記スイッチの相互接続ネットワーク関連のソフトウェア機能を用いて選択されることを特徴とする方法。
【請求項１８】
通信ネットワークにおけるスイッチにおいて、第１のモニタ出力ポートおよび少なくとも１つのその他のモニタリング出力ポートを含む複数のモニタ出力ポートに、無差別的にモニタされた複数のデータパケットを分配することで、前記複数のモニタ出力ポートの間において、ロードバランスのとれた通信トラフィックを実現する方法であって、
複数の経路を選択して、
前記選択された複数の経路によって識別されている複数のデータパケットのうちの各々を、複数の各データパケット宛先データ出力ポートの各々にマルチキャストして、
前記選択された複数の経路によって識別されている前記複数のデータパケットの各々のコピーを、前記複数のモニタリングポートのうちの選択された１つにマルチキャストすることを含む方法において、
前記コピーは、実質的に同数のデータパケットが、前記複数のモニタリングポートのうちの各々に分配されるようにマルチキャストされる方法。
【請求項１９】
請求項１８に記載の方法であって、前記複数の経路が、前記スイッチの相互接続ネットワーク関連のソフトウェア機能を用いて選択されることを特徴とする方法。
【手続補正３】
【補正対象書類名】明細書
【補正対象項目名】００１５
【補正方法】変更
【補正の内容】
【００１５】
ＡＴＭセルは、ＶＣで運ばれる。このＶＣは、受け取られたセルがスイッチの複数のポートに送られるようにセットアップされる。固定のＶＣ接続は、スイッチ操作で容易にセットアップ可能である。しかしながら、切り換えられたＶＣ接続もセットアップされる必要がある。